(57)【要約】      （修正有）【課題】衣服のボタン、またはファスナー付近の布地にも容易にアイロンをかけることができる電気アイロン基板を提供する。【解決手段】基板先端の下表面には浅溝が開き、前記浅溝には薄板が設置され、前記薄板の先端部は基板先端から外へ伸びる。薄板の表面には高硬度のコーティングが設置され、あるいは前記薄板は硬い材料から製造される。薄板は舌型で、前記薄板の先端部の２つの側辺は基板の三角形先端から外へ伸びる。衣服のボタン、またはファスナー付近の布地にも容易にアイロンをかけることができる。また、前記基板先端は外に伸び、一種の薄板を形成する。また、薄板はＶ字型で、その２つの側辺は三角形の基板先端から外へ伸びる。【選択図】図１
0003151922.tif 000002
【実用新案登録請求の範囲】
【請求項１】
電気アイロンの基板先端の下表面には浅溝が開き、前記浅溝には薄板が設置され、前記薄板の先端部は基板先端から外へ伸びるように構成して成ることを特徴とする電気アイロンの基板。
【請求項２】
前記薄板の表面には高硬度のコーティングが設置され、あるいは前記薄板は硬い材料から製造されるようにしたことを特徴とする、請求項1記載の電気アイロンの基板。
【請求項３】
前記薄板は舌型で、前記薄板先端部の２つの側辺は基板の三角形先端から外へ伸びるようにしたことを特徴とする、請求項1或いは請求項２記載の電気アイロンの基板。
【請求項４】
電気アイロンの基板先端は外に伸び、一種の薄板を形成するように構成して成ることを特徴とする電気アイロンの基板。
【請求項５】
前記薄板はV字型で、その２つの側辺は三角形の基板先端から外へ伸びるようにしたことを特徴とする、請求項4記載の電気アイロンの基板。
【考案の詳細な説明】
【技術分野】
【０００１】
本考案は電気アイロンの部品に関し、特に先端構造の改良された電気アイロン基板に関する。
【背景技術】
【０００２】
電気加熱管を内部に設置するために、従来の電気アイロンの基板は概ね厚く製造される。アイロンをかけやすくするために、基板先端は全て三角形に設計されるが、衣服のボタン、またはファスナー付近の布地にアイロンをかけるのは依然として難しい。
【考案の概要】
【考案が解決しようとする課題】
【０００３】
本考案の目的として、一種の電気アイロンの基板を提供し、衣服のボタン、またはファスナー付近の布地にも容易にアイロンをかけることができる。
【課題を解決するための手段】
【０００４】
本考案の目的を実現するために、以下の技術方案を採用する：電気アイロンの基板、前記基板先端の下表面には浅溝が開き、前記浅溝には薄板が設置され、前記薄板の先端部は基板先端から外へ伸びる。
【０００５】
最もふさわしい実施例には、前記薄板の表面には高硬度のコーティングが設置され、あるいは前記薄板は硬い材料から製造される。薄板の固さを増加することにより、基板の耐摩擦性を改良させる。
【０００６】
特には、前記薄板は舌型で、前記薄板先端部の２つの側辺は基板の三角形先端から外へ伸び、衣服のボタン、またはファスナー付近の布地にも容易にアイロンをかけることができる。
【０００７】
本考案のまた一つの技術方案には：電気アイロンの基板、前記基板先端は外に伸び、一種の薄板を形成する。
【０００８】
一つの実施例には：前記薄板はV字型で、その２つの側辺は三角形の基板先端から外へ伸びる。衣服のボタン、またはファスナー付近の布地にも容易にアイロンをかけることができる。
【０００９】
本考案の電気アイロンの基板、前記基板先端の下表面には浅溝が開いて、薄板を形成する；前記薄板の先端部は基板先端から外へ伸びる。前記薄板の先端部が非常に薄いという特性を利用して、服のボタン、またはファスナー付近の布地にも容易にアイロンをかけることができる。薄板の表面には高硬度のコーティングが設置され、または高硬度の材料で薄板を製造することから、基板の耐摩擦性を改良させ、基板のコストを減少させる。または前記基板先端は外へ伸び、一種の薄板を形成する。薄板を利用し、前記基板先端部の厚さを大幅に減少し、使用者が自由に衣服にアイロンをかけ、とくに衣服のボタン、またはファスナー付近のようなアイロンのかけにくい布地も容易に取り扱うことができる。
【図面の簡単な説明】
【００１０】
【図１】本考案の電気アイロン基板の一つの実施例の展開図を示す；
【図２】図1の実施例の概要図を示す；
【図３】図1の実施例の底面の概要図を示す；
【図４】本考案の電気アイロン基板のまた一つの実施例の概要図を示す；
【図５】図4の実施例の底面の概要図を示す。
【考案を実施するための形態】
【実施例１】
【００１１】
図1は、本考案の電気アイロン基板の一つのふさわしい実施例の展開構造図である。前記基板1の先端11の下表面には浅溝が設置され、前記浅溝に薄板が設置され、またはデザインディスクとも呼ばれている。
【００１２】
前記浅溝の上方に位置し、基板1の先端11には３つの段付き穴12と３つのネジ穴が設置され、基板1の内部には電気加熱管が設置され、前記電気加熱管の２つの電極13は基板1の端部から上へ引き出す。
【００１３】
薄板2は舌形で、その表面にはアノード処理或いはほかの処理によって、高硬度のコーティングが設置される。または直接に高硬度の材料を利用して、前記薄板2を製造する。基板1の３つの段付き穴12に対応して、薄板2の中部の上表面には３つのネジ穴付きの短柱21が設置される。薄板の端部は基板1の３つのネジ穴に対応して、ビアホール22が設置される。
【００１４】
組み立てるとき、薄板2を基板1の先端11の浅溝に向けて、薄板2の上表面の３つの短柱21を基板1の先端部の下表面の段付き穴12の大径穴部に対応して挿入する。各段付き穴12の小径穴部にはそれぞれ一つのネジが貫通して設置され、各ネジは対応した短柱21のネジ穴にねじ込んで、薄板2を基板1の先端11に固定させる。図2に示すように、基板1の先端部の２つの側辺は基板1の三角形先端から外へ伸びる。衣服のボタン、またはファスナー付近の布地にも容易にアイロンをかけることができる。
【００１５】
図3に示すように、基板1をひっくり返して、３つのネジで別々に薄板2の端部の対応したビアホール22を通り、基板1の対応したネジ穴にねじ込んで、薄板2の端部を基板1の先端に水平に固定し、薄板2の底面を基板1の底面と完全に同一平面にさせる。
【００１６】
そこで、薄板2により本実施例の基板1の先端11には薄い磁気ディスク構造が形成され、衣服のあらゆる部分にも容易にアイロンをかけられる（たとえば、ボタン、またはファスナー付近の布地）。そして、好ましい効果を手に入れることができる。
【実施例２】
【００１７】
図4は、本考案の電気アイロン基板の一つの簡単な実施例の構造図である。前記基板100の先端110は外へ伸び、一種のV字型の薄板120になる。薄板120の２つの側辺は基板100の三角形先端110から外へ伸びる。基板100の内部には電気加熱管が設置され、前記電気加熱管の２つの電極130は基板100の端部から上へ引き出される。
【００１８】
図5に示すように、基板100をひっくり返して：基板100の底面が前へ延伸し、薄板120になるので、薄板120の底面が基板100の底面と完全に同一平面になる。
【００１９】
それで、薄板120により、本実施例の基板100の先端110に薄い磁気ディスク構造を形成し、衣服のあらゆる部分にも容易にアイロンをかけられる（たとえば、ボタン、またはファスナー付近などのアイロンのかけにくい部分）。
【００２０】
以上のように、本考案でただ一つの好ましい実施例を開示したが、本考案の設計概念はこれに限定されるものではなく、当業者が、本考案の概念と範囲に基づいて色々変更することができ、それらは本考案の請求項の保護範囲から排除されるものではない。
【符号の説明】
【００２１】
１、１００：基板
２：薄板
１１、１１０：先端
１２、１２０：穴
１３、１３０：電極
２１：短柱
２２：ビアホール
【図１】
0003151922.tif 000003
【図２】
0003151922.tif 000004
【図３】
0003151922.tif 000005
【図４】
0003151922.tif 000006
【図５】
0003151922.tif 000007